(57)【特許請求の範囲】
【請求項１】
有底筒状に形成され、棒状の麺類が収容される容器本体と、その容器本体の上部を嵌脱可能に閉鎖する中蓋及び上蓋とからなる麺類ストッカーであって、
前記中蓋には上方ほど狭まるテーパ形状に形成された左右一対のロート部を形成するとともに、各ロート部の中央には口径の異なる左右一対の取出し孔を穿設し、中蓋と上蓋との間には両取出し孔の中間部を中心として左右方向に回動する板状の回動蓋を設け、その回動蓋の各面には前記取出し孔と嵌合する嵌合部を設け、回動蓋を左右いずれかの方向に回動させて一方の取出し孔と嵌合させることによって、その取出し孔を閉鎖するように構成した麺類ストッカー。
【請求項２】
前記中蓋の左右端部を窪ませることによって空間部を形成するとともに、前記回動蓋の先端部に指掛け部を切欠き形成した請求項１に記載の麺類ストッカー。
【発明の詳細な説明】
【０００１】
【発明の属する技術分野】
この発明は、麺類を収容して保存することができるとともに、所定量の麺類を計量しながら取り出すことができる麺類ストッカーに関するものである。
【０００２】
【従来の技術】
従来より、この種の麺類ストッカーとしては、実開昭６１−１４７７６８号公報に開示されている食品用保存容器が知られている。この食品用保存容器は、容器本体の上端部に漏斗状蓋を嵌合自在に装備し、該漏斗状蓋の一部周縁壁には上蓋の鍔寄りに穿設した大孔と略同一の大きさを有する漏斗口を形成してあり、大孔と小孔を穿設した上記の上蓋を該漏斗状蓋の周縁壁に対し回動自在に嵌め込んでなるものである。
【０００３】
そして、容器本体内に保存されているスパゲッティーを取り出す際には、上蓋を漏斗状蓋の周縁壁に対し回動させて大孔と漏斗口とを一致させることによって、例えば２００ｇのスパゲッティーを計量しながら容易に取り出すことができる。また同様に、小孔と漏斗口とを一致させることによって、例えば１００ｇのスパゲッティーを計量しながら容易に取り出すことができる。
【０００４】
【発明が解決しようとする課題】
ところが、前記従来の食品用保存容器では、正確に２００ｇのスパゲッティーを計量するためには、上蓋の大孔を回動させて漏斗口と正確に一致させる必要があり、少しでもずれていた場合には正確に計量することができなかった。そして、この大孔と漏斗口とを一致させる作業は、非常に面倒な作業であると言える。
【０００５】
この発明は、上記のような従来技術に存在する問題点に着目してなされたものである。その目的とするところは、麺類を収容して保存することができるとともに、所定量の麺類を計量しながら容易に取り出すことができる麺類ストッカーを提供することにある。
【０００６】
【課題を解決するための手段】
上記の目的を達成するために、請求項１に記載の発明の麺類ストッカーは、有底筒状に形成され、棒状の麺類が収容される容器本体と、その容器本体の上部を嵌脱可能に閉鎖する中蓋及び上蓋とからなる麺類ストッカーであって、前記中蓋には上方ほど狭まるテーパ形状に形成された左右一対のロート部を形成するとともに、各ロート部の中央には口径の異なる左右一対の取出し孔を穿設し、中蓋と上蓋との間には両取出し孔の中間部を中心として左右方向に回動する板状の回動蓋を設け、その回動蓋の各面には前記取出し孔と嵌合する嵌合部を設け、回動蓋を左右いずれかの方向に回動させて一方の取出し孔と嵌合させることによって、その取出し孔を閉鎖するように構成したものである。
【０００７】
請求項２に記載の発明の麺類ストッカーは、請求項１に記載の発明において、前記中蓋の左右端部を窪ませることによって空間部を形成するとともに、前記回動蓋の先端部に指掛け部を切欠き形成したものである。
【０００８】
【発明の実施の形態】
以下、この発明の実施形態を、図面に基づいて詳細に説明する。
図１に示すように、麺類ストッカーとしてのパスタストッカー１１は、合成樹脂により有底楕円筒状に形成された容器本体１２と、その容器本体１２の上部開口部を嵌脱可能に閉鎖する中蓋１３、回動蓋１４及び上蓋１５とから構成されている。このパスタストッカー１１は、市販のパスタ３１の平均的な長さに相当する高さに形成されるとともに、数人分〜十数人分のパスタ３１（例えば１ｋｇのパスタ３１）を収容することができる容積を有しており、市販のパスタ３１を大量に購入して保存することができるように構成されている。
【０００９】
図１及び図２（ｂ）に示すように、容器本体１２の側壁１６は、上方ほど僅かに拡がるテーパ形状に形成されている。また、図２（ｂ）に示すように、容器本体１２の上部開口部の内周面には、係合溝１７が横方向に連続して延びるように穿設されている。
【００１０】
図２（ａ）及び（ｂ）に示すように、中蓋１３は合成樹脂によりほぼ楕円板状に形成された底壁１８と、その底壁１８の周縁に沿って立設された内側壁１９とから構成されている。図２（ｂ）に示すように、この内側壁１９の外周面は、上方ほど僅かに拡がるテーパ形状に形成され、容器本体１２上部の側壁１６内周面に密接されるように構成されている。さらに、この内側壁１９の上部には、係合突部２０が横方向に連続して延びるように突設され、前記容器本体１２の係合溝１７と係脱可能に係合されることによって、中蓋１３が容器本体１２の所定位置に取り付けられるように構成されている。
【００１１】
図２（ａ）及び（ｂ）に示すように、前記底壁１８の左右位置には、上方ほど狭まるテーパ形状に形成された左右一対のロート部２１が設けられている。各ロート部２１の中央には、口径の異なる第一取出し孔２２及び第二取出し孔２３がいずれも円孔状に穿設されている。前記第一取出し孔２２は、例えば１００ｇのパスタ３１を束ねたときの断面積に相当し、通常の１人分の食事量を計量することができるようになっている。一方、第二取出し孔２３は、例えば２００ｇのパスタ３１を束ねたときの断面積に相当し、通常の２人分の食事量を計量することができるようになっている。
【００１２】
図１に示すように、中蓋１３の中央に位置する内側壁１９には、対向する一対の軸受け孔２４が円孔状に穿設されている。さらに、図２（ｂ）に示すように、この軸受け孔２４は、前記第一取出し孔２２及び第二取出し孔２３の上端縁を結ぶ面内に設けられている。また、中蓋１３の左右両端部には、各ロート部２１の一側面と内側壁１９の内周面とによって囲まれるとともに、窪んだ形状をなす空間部２５が形成されている。
【００１３】
図１に示すように、回動蓋１４は合成樹脂によりほぼ四角板状に形成され、中蓋１３の上部半面を閉鎖することができるように構成されている。この回動蓋１４の基端部両側には、円柱状に形成された一対の回動軸２６が横方向に突設され、前記中蓋１３の軸受け孔２４内に挿入されることによって、回動蓋１４が中蓋１３に軸着され、回動軸２６を中心として左右方向に回動することができるようになっている。一方、回動蓋１４の先端部は円弧状に切欠かれ、指３２を引掛けるための指掛け部２７が設けられている。
【００１４】
図１及び図２（ｂ）に示すように、回動蓋１４の左右各面には、直径の異なる第一嵌合部２８及び第二嵌合部２９が円筒状に突設されている。さらに、図３（ａ）に示されるように、第一取出し孔２２側に回動された回動蓋１４の第一嵌合部２８は、中蓋１３の第一取出し孔２２に内嵌されるように構成されている。同様に、図３（ｂ）に示されるように、第二取出し孔２３側に回動された回動蓋１４の第二嵌合部２９は、中蓋１３の第二取出し孔２３に内嵌されるように構成されている。
【００１５】
図１に示すように、上蓋１５は合成樹脂により楕円板状に形成されるとともに、容器本体１２の側壁１６の上端縁と嵌脱可能に嵌合され、容器本体１２の上部開口部全体を閉鎖することができるように構成されている。
【００１６】
上記パスタストッカー１１の作用について以下に記載する。
さて、上記のように構成されるパスタストッカー１１を使用して、所定量のパスタ３１を計量しながら取り出す場合には、まず、図１に示されるように、容器本体１２と中蓋１３とを分離する。続いて、容器本体１２内に数人分〜十数人分のパスタ３１を挿入した後、回動蓋１４が装着された中蓋１３を容器本体１２の上部開口部に内嵌させる。次に、必要であれば回動蓋１４を左右いずれかの方向に回動させ、第一取出し孔２２又は第二取出し孔２３を回動蓋１４によって閉鎖した状態にする。
【００１７】
このとき、図３（ａ）に示される第一取出し孔２２を閉鎖した状態の回動蓋１４を１８０°回動させて、図３（ｂ）に示される第二取出し孔２３を閉鎖した状態にする場合には、以下のようにするとよい。まず、図３（ａ）に示される回動蓋１４の指掛け部２７及び中蓋１３の空間部２５に２点鎖線で示される指３２を挿入し、その指３２で指掛け部２７を上方に引き上げることによって、回動蓋１４の第一嵌合部２８と中蓋１３の第一取出し孔２２との嵌合状態を解除する。次に、回動蓋１４を１８０°回動させた後に下方へ押圧することによって、図３（ｂ）に示されるように、回動蓋１４の第二嵌合部２９が中蓋１３の第二取出し孔２３に内嵌され、第二取出し孔２３を閉鎖することができる。
【００１８】
一方、図３（ｂ）に示される第二取出し孔２３を閉鎖した状態の回動蓋１４を１８０°回動させて、図３（ａ）に示される第一取出し孔２２を閉鎖した状態にする場合には、以下のようにするとよい。まず、図３（ｂ）に示される回動蓋１４の指掛け部２７及び中蓋１３の空間部２５に２点鎖線で示される指３２を挿入し、その指３２で指掛け部２７を上方に引き上げることによって、回動蓋１４の第二嵌合部２９と中蓋１３の第二取出し孔２３との嵌合状態を解除する。次に、上記の場合と同様に、回動蓋１４を１８０°回動させた後に下方へ押圧し、第一取出し孔２２を閉鎖する。
【００１９】
２人分のパスタ３１を計量しながら取り出す場合には、まず、図４（ａ）に模式的に示されるように、回動蓋１４により第一取出し孔２２を閉鎖した状態で、容器本体１２の第二取出し孔２３側の側壁１６及び第二取出し孔２３を下方に傾けて保持する。このとき、容器本体１２内のパスタ３１は、容器本体１２の第二取出し孔２３側に密集されるとともに、第二取出し孔２３側のロート部２１を滑りながら移動され、第二取出し孔２３付近で密集する。
【００２０】
続いて、必要であれば振動を加えながら、第二取出し孔２３をさらに下方に傾けることによって、第二取出し孔２３内に密集されたパスタ３１は、その第二取出し孔２３を通って外部に突出される。この外部に突出されたパスタ３１を手で受け止めることによって、通常の２人分（約２００ｇ）のパスタ３１を計量しながら取り出すことができる。
【００２１】
一方、１人分のパスタ３１を計量しながら取り出す場合には、まず、図４（ｂ）に模式的に示されるように、回動蓋１４により第二取出し孔２３を閉鎖した状態で、容器本体１２内の第一取出し孔２２側の側壁１６及び第一取出し孔２２を下方に傾けて保持する。続いて、必要であれば振動を加えながら、第一取出し孔２２をさらに下方に傾けることによって、上記の場合と同様に、通常の１人分（約１００ｇ）のパスタ３１を計量しながら取り出すことができる。
【００２２】
また、３人分以上のパスタ３１を取り出す場合には、上記のように計量しながら取り出された１人分及び２人分のパスタ３１を適宜組み合わせることによって計量することができる。
【００２３】
このパスタストッカー１１内でパスタ３１を保存する場合には、図１に示されるように、容器本体１２上部の所定位置に中蓋１３及び回動蓋１４を装着した状態で、上蓋１５を容器本体１２の上端縁と嵌合させる。このようにしてパスタ３１を保存する場合には、湿気や埃等の混入及びパスタ３１の不測の切断を防止しつつ、必要なときに必要な分量のパスタ３１を取り出して食すことができる。
【００２４】
上記のパスタストッカー１１によって発揮される効果を以下に記載する。
・  実施形態のパスタストッカー１１は、中蓋１３に口径の異なる第一取出し孔２２及び第二取出し孔２３が穿設されているうえ、回動軸２６を中心として左右方向に回動する回動蓋１４を軸着し、前記取出し孔２２、２３を回動蓋１４によって閉鎖することができるように構成されている。このため、回動蓋１４を回動させて第一取出し孔２２又は第二取出し孔２３のいずれか一方を閉鎖することによって、第二取出し孔２３又は第一取出し孔２２から２００ｇ又は１００ｇの所定量のパスタ３１を非常に容易に計量しながら取り出すことができる。
【００２５】
また、このパスタストッカー１１は、有底楕円筒状の容器本体１２内に、大量のパスタ３１を収容することができるとともに、上蓋１５によって容器本体１２の上部開口部全体を閉鎖することができるように構成されている。このため、パスタストッカー１１内にパスタ３１を収容して保存することができるうえ、湿気や埃等の混入及びパスタ３１の不測の切断を防止しつつ、必要なときに必要な分量のパスタ３１を取り出して食すことができる。
【００２６】
・  中蓋１３の左右端部に空間部２５が形成されているうえ、回動蓋１４の先端部に指掛け部２７が切欠き形成されていることから、中蓋１３の第一取出し孔２２又は第二取出し孔２３と、回動蓋１４との嵌合状態を容易に解除することができる。従って、所定量のパスタ３１をより一層容易に取り出すことができる。
【００２７】
・  実施形態のパスタストッカー１１は、第一取出し孔２２の上端縁、第二取出し孔２３の上端縁及び回動蓋１４の回動軸２６が水平方向に延びる同一面内に設けられている。このため、第一取出し孔２２又は第二取出し孔２３と、回動蓋１４とを嵌合させたとき、第一嵌合部２８と第一取出し孔２２、又は第二嵌合部２９と第二取出し孔２３とが容易かつ安定に嵌合されることから、回動蓋１４による取出し孔２２、２３の閉鎖を容易かつ確実に行うことができる。
【００２８】
・  容器本体１２が有底楕円筒状に形成されていることから、パスタストッカー１１を左右いずれかの方向に傾けることによって、容器本体１２の端部にパスタ３１を容易に密集させることができ、１人分又は２人分のパスタ３１を容易かつ正確に取り出すことが可能である。
【００２９】
なお、本実施形態は、次のように変更して具体化することも可能である。
・  容器本体１２を有底長四角筒状に形成するとともに、中蓋１３及び上蓋１５を長四角板状に形成し、かつ回動蓋１４を四角板状に形成すること。
【００３０】
このように構成した場合、パスタストッカー１１を左右いずれかの方向に傾けることによって、容器本体１２の端部にパスタ３１を容易に密集させることができ、１人分又は２人分のパスタ３１を容易かつ正確に取り出すことが可能である。
【００３１】
・  容器本体１２を有底四角筒状、有底六角筒状、有底八角筒状等の有底多角筒状又は有底円筒状に形成するとともに、中蓋１３、回動蓋１４及び上蓋１５を容器本体１２の形状に対応させて形成すること。なお、容器本体１２を有底四角筒状に形成した場合には、回動蓋１４を三角板状に形成してもよい。
【００３２】
・  第一取出し孔２２から取り出すことができるパスタ３１の分量は１００ｇに限定される必要はなく、例えば、子供、女性、熟年者又は男性１人分の食事量相当にするとともに、第二取出し孔２３から取り出すことができるパスタ３１の分量は２００ｇに限定される必要はなく、例えば、子供、女性、熟年者又は男性２人分の食事量相当にすること。
【００３３】
・  第一取出し孔２２及び第二取出し孔２３から取り出すことができるパスタ３１の分量は、１人分及び２人分に限定される必要はなく、例えば、０．５人分、１．５人分、２．５人分、３人分等の任意の分量にしてもよい。
【００３４】
・  第一取出し孔２２及び第二取出し孔２３を、例えば、三角孔状、四角孔状、六角孔状、八角孔状等の多角孔状又は楕円孔状に形成するとともに、第一嵌合部２８及び第二嵌合部２９をそれら取出し孔２２、２３の形状に対応させて形成すること。
【００３５】
・  第一嵌合部２８及び第二嵌合部２９を、それぞれ第一取出し孔２２及び第二取出し孔２３に内嵌される円柱状に形成すること。
・  第一嵌合部２８及び第二嵌合部２９を、それぞれ第一取出し孔２２及び第二取出し孔２３に外嵌されるように形成すること。
【００３６】
・  指掛け部２７を省略するとともに、回動蓋１４の先端部に第二嵌合部２９が設けられるように、回動蓋１４を短く形成すること。
このように構成した場合、回動蓋１４の先端部と中蓋１３の内側壁１９との間が離間していることから、空間部２５に指３２を容易に挿入することができる。
【００３７】
・  回動蓋１４の先端部に指掛け部２７を切欠き形成する代わりに、回動蓋１４の先端部各面に指先で挟持することができる一対の挟持片を突設すること。
・  指掛け部２７を省略して構成すること。
【００３８】
・  麺類ストッカーとしてのパスタストッカー１１内に、例えば、そば、うどん、そうめん、ひやむぎ、きしめん、マカロニ等の乾麺を収容して保存するように構成すること。
【００３９】
このように構成した場合、パスタストッカー１１の用途を拡大することができる。
・  中蓋１３のロート部２１を省略し、平坦面からなる底壁１８に第一取出し孔２２及び第二取出し孔２３を穿設すること。
【００４０】
このように構成した場合でも、パスタ３１を収容して保存することができるとともに、所定量のパスタ３１を計量しながら容易に取り出すことができる。
さらに、前記実施形態より把握できる技術的思想について以下に記載する。
【００４１】
（１）  前記回動蓋と取出し孔とを嵌合させたとき、回動蓋が水平方向に配置されるように構成した請求項１又は請求項２に記載の麺類ストッカー。
このように構成した場合、回動蓋と取出し孔とを容易かつ安定に嵌合させることができる。
【００４２】
（２）  前記容器本体を有底楕円筒状又は有底長四角筒状に形成した請求項１、請求項２及び前記（１）のいずれかに記載の麺類ストッカー。
このように構成した場合、所定量の麺類を容易に取り出すことができる。
【００４３】
（３）  有底筒状に形成され、棒状の麺類が収容される容器本体と、その容器本体の上部を嵌脱可能に閉鎖する中蓋及び上蓋とからなる麺類ストッカーであって、前記中蓋には口径の異なる左右一対の取出し孔を穿設し、中蓋と上蓋との間には両取出し孔の中間部を中心として左右方向に回動する板状の回動蓋を設け、その回動蓋の各面には前記取出し孔と嵌合する嵌合部を設け、回動蓋を左右いずれかの方向に回動させて一方の取出し孔と嵌合させることによって、その取出し孔を閉鎖するように構成した麺類ストッカー。
【００４４】
このように構成した場合、麺類を収容して保存することができるとともに、所定量の麺類を計量しながら容易に取り出すことができる。
【００４５】
【発明の効果】
以上詳述したように、この発明によれば、次のような効果を奏する。
請求項１に記載の発明の麺類ストッカーによれば、麺類を収容して保存することができるとともに、所定量の麺類を計量しながら容易に取り出すことができる。
【００４６】
請求項２に記載の発明の麺類ストッカーによれば、請求項１に記載の発明の効果に加えて、所定量の麺類をさらに容易に取り出すことができる。
【図面の簡単な説明】
【図１】  実施形態のパスタストッカーを示す分解斜視図。
【図２】  （ａ）は実施形態のパスタストッカーを示す平面図、（ｂ）は図２（ａ）の２ｂ−２ｂ線から見た部分拡大断面図。
【図３】  （ａ）及び（ｂ）はいずれも、実施形態のパスタストッカーを示す部分拡大正断面図。
【図４】  （ａ）及び（ｂ）はいずれも、実施形態のパスタストッカーを使用している様子を模式的に示す部分拡大断面図。
【符号の説明】
１１…麺類ストッカーとしてのパスタストッカー、１２…容器本体、１３…中蓋、１４…回動蓋、１５…上蓋、２１…ロート部、２２…取出し孔としての第一取出し孔、２３…取出し孔としての第二取出し孔、２５…空間部、２７…指掛け部、２８…嵌合部としての第一嵌合部、２９…嵌合部としての第二嵌合部、３１…麺類としてのパスタ。
【図１】
0004137298.tif 000002
【図２】
0004137298.tif 000003
【図３】
0004137298.tif 000004
【図４】
0004137298.tif 000005